(57)【要約】【課題】副反射板を交換可能にして主反射板に取り付けることにより多様な光学目標に対応することができる照明器具を提供する。【解決手段】照明器具１０は、光源１６を収容し、開口部１２を有する器具本体１１と、光源１６を囲んで器具本体１１に取り付けられた反射板と、を備え、反射板は、主反射板１７と、少なくとも主反射板１７に有する反射率とは異なる反射率を有し主反射板１７に着脱自在な副反射板１８と、を備えた。【選択図】図２
2010272234.tif 000002
【特許請求の範囲】
【請求項１】
光源を収容し、開口部を有する器具本体と、
前記光源を囲んで前記器具本体に取り付けられた反射板と、
を備えた照明器具であって、
前記反射板は、主反射板と、少なくとも前記主反射板に有する反射率とは異なる反射率を有し前記主反射板に着脱自在な副反射板と、を備えたことを特徴とする照明器具。
【請求項２】
前記副反射板は、前記器具本体の開口部側から着脱されることを特徴とする請求項１に記載した照明器具。
【発明の詳細な説明】
【技術分野】
【０００１】
本発明は、例えばトンネル内の照明を行う照明器具に関する。
【背景技術】
【０００２】
本発明者らは、主反射板と補助反射板とを備えて光源の光を路面に照射させるようにした照明器具を既に提案している（例えば、特許文献１参照）。
【先行技術文献】
【特許文献】
【０００３】
【特許文献１】特開２００７−３２８９６３号公報（図１、請求項１）
【発明の概要】
【発明が解決しようとする課題】
【０００４】
トンネル用の照明器具は、トンネル内の交通量によって光学目標が異なっている。そのため、光学目標に応じて反射板を取り換えることにより、均斉度と照明率とクリアするようにしている。
【０００５】
ところが、上記特許文献１に開示された従来の照明器具では、主反射板と補助反射板とが器具本体に固定されている。
従って、光学目標に応じて反射板を容易に取り換え難い。
【０００６】
本発明は、前述した課題を解決するためになされたものであり、その目的は、副反射板を交換可能にして主反射板に取り付けることにより多様な光学目標に対応することができる照明器具を提供することにある。
【課題を解決するための手段】
【０００７】
本発明に係る照明器具は、光源を収容し、開口部を有する器具本体と、前記光源を囲んで前記器具本体に取り付けられた反射板と、を備えた照明器具であって、前記反射板は、主反射板と、少なくとも前記主反射板に有する反射率とは異なる反射率を有し前記主反射板に着脱自在な副反射板と、を備えたことを特徴とする。
【０００８】
本発明においては、副反射板は、少なくとも主反射板に有する反射率とは異なる反射率を有して主反射板に着脱自在に取り付けられる。
これにより、トンネル内の交通量によって異なる光学目標に応じて副反射板を選択的に用いることができる。
従って、副反射板を交換可能にして主反射板に取り付けることにより多様な光学目標に対応することができる。
【０００９】
本発明に係る照明器具は、上記照明器具において、前記副反射板は、前記器具本体の開口部側から着脱されることを特徴とする。
【００１０】
本発明においては、交換時に器具本体の開口部側から副反射板が着脱される。
これにより、器具本体の開口部に取り付けられる前面パネルのみを開放して副反射板の交換を行うことができる。
従って、副反射板を簡単に交換することができる。
【発明の効果】
【００１１】
本発明の照明器具によれば、反射板に、主反射板と、少なくとも主反射板に有する反射率とは異なる反射率を有し主反射板に着脱自在な副反射板と、を備えた。
これにより、副反射板を交換可能にして主反射板に取り付けることにより多様な光学目標に対応することができるという効果を有する。
【図面の簡単な説明】
【００１２】
【図１】本発明に係る一実施形態の照明器具の垂直断面図
【図２】図１に示した照明器具の底面図
【図３】図１に示した照明器具に適用される副反射板の外観斜視図
【図４】図１に示した照明器具における副反射板の取付けを説明する外観斜視図
【図５】図４の左側面図
【図６】図４の背面図
【発明を実施するための形態】
【００１３】
以下、本発明の一実施形態に係る照明器具について、図面を参照して説明する。
【００１４】
図１、図２に示すように、本発明の一実施形態である照明器具１０は、開口部１２を有する長方形状の器具本体１１と、器具本体１１の開口部１２に取り付けられた前面パネル１３と、点灯回路１４と、電源端子台１５と、光源であるランプ１６と、主反射板１７と、副反射板１８と、を備えて不図示のトンネルの孔方向に沿ってトンネル内装材１に複数固定されている。
【００１５】
器具本体１１は、例えばステンレス鋼板の表面にアクリル塗装を施しており、路面側に開口部１２を配置している。器具本体１１はステンレス鋼板に代えて樹脂材料等を用いて成形しても良い。
【００１６】
器具本体１１は、周板１９に囲まれた天部に天板２０を有し、周板１９の一方側にソケット取付板２１を有する。ソケット取付板２１にはソケット２２が取り付けられている。器具本体１１は、周板１９の外側へ突出する複数のトンネル内取付用フランジ２３を有する。
【００１７】
前面パネル１３は、例えば透明な強化ガラス製の板部材であって器具本体１１の側部に設けられている取付部材２４を介して開口部１２に開閉自在に組み付けられている。
【００１８】
点灯回路１４と電源端子台１５とは器具本体１１のソケット２２から離れた位置にネジ止めされている。電源端子台１５には不図示の外部配線が電気的に接続されるとともに不図示の器具配線が電気的に接続される。器具配線は点灯回路１４に電気的に接続される。点灯回路１４は不図示の電源配線を通じてソケット２１内に電気的に接続される。
【００１９】
ランプ１６は電球であってソケット２２に装着されている。ランプ１６はソケット２２に供給された所定の電流により点灯する。
【００２０】
主反射板１７と副反射板１８とはランプ１６を囲むように配置されている。
【００２１】
主反射板１７は、例えばアルミニウム等の金属材料を基材として、曲げ加工やプレス加工や液圧成形等により基本形状を作成後、切断して組み合わせて作成されている。
【００２２】
主反射板１７は略半球形状に形成されており、ソケット２２に対向する端部に副反射板取付用開口部２５を有する。主反射板１７は、その内面に主反射面２６を形成している。主反射面２６は、例えば、９５％の正反射率に設定されている。
【００２３】
主反射板１７は、その側部に複数の器具本体取付用フランジ２７を有し、副反射板取付用開口部２５の側部に一対の副反射板取付用フランジ２８を有する。
【００２４】
図３に示すように、副反射板１８は、主反射板１７と同様にして、例えばアルミニウム等の金属材料を基材として、曲げ加工やプレス加工や液圧成形等により基本形状を作成後、切断して組み合わせて作成されている。
【００２５】
副反射板１８は、主反射板１７の副反射板取付用開口部２５を閉塞する板形状に形成された副反射板本体２９を有する。副反射板１８は副反射板本体２９の側部に一対のねじ孔付主反射板取付用フランジ３０を有する。
【００２６】
次に、主反射板１７および副反射板１８の詳細および副反射板１８の主反射板１７への取付手順について説明する。
【００２７】
図４、図５、図６に示すように、副反射板１８の副反射板本体２９は、その内面に副反射面３１を形成している。副反射面３１は、主反射板１７の主反射面２６よりも低い、例えば、５０％以下の正反射率に設定されている。主反射板１７は、副反射板取付用開口部２５の底部に副反射板受３２を形成している。
【００２８】
組立工程において、主反射板１７は、器具本体取付用フランジ２７に挿通した不図示のネジを器具本体１１の天板２０にネジ込む等することにより器具本体１１の所定位置に固定される。
【００２９】
次に、設置されるトンネルにおける光学目標に応じた正反射率を有する副反射板１８が選択される。そして、選択された副反射板１８が主反射板１７の副反射板取付用開口部２５に上方から進行されていく。
【００３０】
主反射板１７の副反射板取付用開口部２５に上方から進行されていく副反射板１８は、やがて、その副反射板本体２９が副反射板受３２に挿入される。このとき、副反射板１８は、器具本体１１の開口部１２側から装着される。これにより、副反射板１８が副反射板取付用開口部２５に位置決めされる。
【００３１】
そして、副反射板１８の主反射板取付用フランジ３０を通じて主反射板１７の副反射板取付用フランジ２８にネジ３３がネジ込まれることにより、副反射板１８が副反射板取付用開口部２５を閉塞して主反射面２６に連続する副反射面３１を形成する。
【００３２】
万が一に、設置されるトンネルにおける交通量に伴って光学目標に変動が生じた場合、上記の組付手順とは反対にして、ネジ３３を主反射板１７の副反射板取付用フランジ２８から取り外すことにより、副反射板１８の副反射板本体２９を副反射板受３２から抜き出して主反射板１７から副反射板１８を取り外すことができる。
【００３３】
このような照明器具１０は、器具本体１１のトンネル内取付用フランジ２３をトンネル内装材１にネジ止めすることによりトンネル内に設置される。
【００３４】
そして、不図示の制御手段の駆動により、電源端子台１５と点灯回路１４とを通じてソケット２２内に所定の電流が供給されることによりランプ１６が点灯し、ランプ１６からの直接光および両反射面２６，３１により反射した反射光により路面を照射する。
【００３５】
本発明の一実施形態の照明器具１０では、副反射板１８は、主反射板１７に有する反射率とは異なる反射率を有して主反射板１７に着脱自在に取り付けられる。
これにより、トンネル内の交通量によって異なる光学目標に応じて副反射板１８を選択的に用いることができる。
従って、副反射板１８を交換可能にして主反射板１７に取り付けることにより多様な光学目標に対応することができる。
【００３６】
本発明の一実施形態の照明器具１０では、交換時に器具本体１１の開口部１２側から副反射板１８が着脱される。
これにより、器具本体１１の開口部１２に取り付けられている前面パネル１３のみを開放して副反射板１８の交換を行うことができる。
従って、副反射板１８を簡単に交換することができる。
【００３７】
なお、前記実施形態で使用した器具本体１１、前面パネル１３、ランプ１６、点灯回路１４、電源端子台１５等の形状は例示したものに限定するものではなく適宜変更が可能である。
【符号の説明】
【００３８】
１０  照明器具
１１  器具本体
１２  開口部
１６  ランプ（光源）
１７  主反射板（反射板）
１８  副反射板（反射板）
【図１】
2010272234.tif 000003
【図２】
2010272234.tif 000004
【図３】
2010272234.tif 000005
【図４】
2010272234.tif 000006
【図５】
2010272234.tif 000007
【図６】
2010272234.tif 000008